(57)【要約】      （修正有）【課題】構成が簡単で、バックル方式により組合せて組立可能で、安定性が高く、また工具を使用せずに各部材を取外して収納することができ、包装、保存また搬送が容易であり、適応性が強く、使用コストを低くさせるバックル式組合カートを提供する。【解決手段】それぞれ載物空間を備える小載物籠１、中載物籠２及び大載物籠３と、それらの両側に設けられる組立ブラケット４を含むバックル式組合カートであって、組立ブラケット４は上下に配列される複数個の支持横杆５を備えており、小載物籠１、中載物籠２および大載物籠３は、それぞれ、組立ブラケット４に組立てられ、組立ブラケット４から分解用のバックル組合部品６を備える。該バックル組合部品６は、対応する支持横杆５にバックル方式により組立てられ、また、分解用の挟持溝を備えている。【選択図】図１
0003224918.tif 000002
【実用新案登録請求の範囲】
【請求項１】
それぞれ載物空間を備える小載物籠（１）、中載物籠（２）及び大載物籠（３）と、そ
れらの両側に設けられる組立ブラケット（４）を含むバックル式組合カートであって、前
記組立ブラケット（４）は上下に配列される複数個の支持横杆（５）を備えており、前記
小載物籠（１）、中載物籠（２）および大載物籠（３）はそれぞれ組立ブラケット（４）
に組立て、及び組立ブラケット（４）から分解用のバックル組合部品（６）を備え、該バ
ックル組合部品（６）は対応する支持横杆（５）にバックル組立て、及びそれから分解用
の挟持溝（７）を備えていることを特徴とする前記バックル式組合カート。
【請求項２】
前記支持横杆（５）は上下に組立ブラケット（４）に一体的に成形されており、前記バ
ックル組合部品（６）はそれぞれ小載物籠（１）、中載物籠（２）および大載物籠（３）
の底面の左右両側に設けられており、前記バックル組合部品（６）の挟持溝（７）が対応
する支持横杆（５）にそれぞれバックル組立られることにより小載物籠（１）、中載物籠
（２）および大載物籠（３）をそれぞれ上下に順次に組立ブラケット（４）にバックル組
立ててカートを組立てる状態と、バックル組合部品（６）の挟持溝（７）が対応する支持
横杆（５）からそれぞれ分解して、小載物籠（１）、中載物籠（２）、大載物籠（３）を
上下に順次に下の載物空間内に積層することにより組立ブラケット（４）を収納する収納
組合籠を形成する状態とを切替可能となるように構成されていることを特徴とする請求項
１に記載のバックル式組合カート。
【請求項３】
前記バックル組合部品（６）は固定係合子（６１）と弾性係合子（６２）を含み、前記
固定係合子（６１）がそれぞれ小載物籠（１）、中載物籠（２）、大載物籠（３）の底面
の左右両側に一体成形され、前記弾性係合子（６２）が固定係合子（６１）にバックル組
立てられ、前記挟持溝（７）が弾性係合子（６２）に設けられていることを特徴とする請
求項１又は２に記載のバックル式組合カート。
【請求項４】
前記固定係合子（６１）の両側にそれぞれバックル接続穴（６３）が開設され、前記弾
性係合子（６２）の両側にそれぞれバックル接続穴（６３）にバックル取付用のバックル
咬子（６４）が設置されていることを特徴とする請求項３に記載のバックル式組合カート
。
【請求項５】
前記挟持溝（７）は支持横杆（５）を嵌合挟持する円弧挟持部位（７１）と該円弧挟持
部位（７１）へ支持横杆（５）を挿入させる挟持端口（７２）を含み、前記挟持端口（７
２）が下向きに円弧挟持部位（７１）に設けられていることを特徴とする請求項１に記載
のバックル式組合カート。
【請求項６】
前記挟持端口（７２）の両側にそれぞれ支持横杆（５）を円弧挟持部位（７１）内に滑
動させる傾斜案内部（６５）が設けられており、前記傾斜案内部（６５）の両側にそれぞ
れ固定係合子（６１）の両側部を支持する支持接続ブロック（６６）が設けられているこ
とを特徴とする請求項５に記載のバックル式組合カート。
【請求項７】
前記組立ブラケット（４）の底端の隅部にそれぞれローラ（８）が組立てられ、前記ロー
ラ（８）は、組立ブラケット（４）の底端の隅部にバックル嵌合され、及び組立ブラケッ
ト（４）から分解して小載物籠（１）の載物空間内に収納可能となるように組立入られて
いることを特徴とする請求項１に記載のバックル式組合カート。
【請求項８】
前記組立ブラケット（４）は上ブラケット（４１）と下ブラケット（４２）を含み、前
記上ブラケット（４１）に一つの支持横杆（５）が一体成形され、前記下ブラケット（４
２）に上下に配列される二つの支持横杆（５）が一体成形されており、前記上ブラケット
（４１）が下ブラケット（４２）に挿装されてアーチ型の組立ブラケット（４）を形成し
ていることを特徴とする請求項１又は７に記載のバックル式組合カート。
【請求項９】
前記上ブラケット（４１）の下端の隅部にそれぞれ取付穴（４３）が設けられ、前記下
ブラケット（４２）の上端の隅部に取付穴（４３）に伸縮可能にバックル取付け用の位置
決め弾性ロッド（４４）が設けられていることを特徴とする請求項８に記載のバックル式
組合カート。
【考案の詳細な説明】
【技術分野】
【０００１】
本実用新案はカートの分野に関し、具体のにはバックル式組合カートに関する。
【従来の技術】
【０００２】
従来のカートは一般的に支持フレームおよび２層又は２層以上のトレイを含む。該２層
又は２層以上のトレイは支持フレームに一体的に固定される。構成が簡単で、かつ品物の
載置に適宜であり、家庭用やレストラン等のサービス業に広く応用されるものである。
【０００３】
ところが、上記のように構成されるカートは実用では、以下のような欠陥がある。
１）支持フレームとトレイは一体固定されるので、占用体積が大きくて、小空間の場所
に応用できない原因で、その適用範囲を縮減させる。それとともに、また占用体積のため
に、包装や搬送際に、持ち送るなどが不便であるだけでなく、包装および搬送のコストが
高騰する。
２）この従来のカートは一般的に、一体的な一本や二本の支持フレームをトレイの左右
両側に取り付けて構成するものとするので収納不可能で、占める体積が大きく、しかも、
耐圧強度が弱く、変形しやすく、外観にも影響を与えるため、商品として使用効果が低下
させられる。
【考案の概要】
【０００４】
本実用新案の目的は、従来の技術における欠陥を克服することにあり、構成が簡単で、
バックル方式により任意に組合組立可能で、構成の安定性が高く、また工具を使用せずに
各部材を取外して収納することができ、包装、保存また搬送が容易であり、適応性が強く
、使用コストを低くさせるバックル式組合カートを提供することである。
【０００５】
本実用新案の目的には、以下のものによって実現される。
それぞれ載物空間を備える小載物籠、中載物籠及び大載物籠と、それらの両側に設けら
れる組立ブラケットを含むバックル式組合カートであって、前記組立ブラケットは上下に
配列される複数個の支持横杆を備えており、前記小載物籠、中載物籠および大載物籠はそ
れぞれ組立ブラケットに組立て、及び組立ブラケットから分解用のバックル組合部品を備
え、該バックル組合部品は対応する支持横杆にバックル組立て、及びそれから分解用の挟
持溝を備えている。
【０００６】
好ましくは、前記支持横杆は上下に組立ブラケットに一体的に成形されており、前記バッ
クル組合部品はそれぞれ小載物籠、中載物籠および大載物籠の底面の左右両側に設けられ
ており、前記バックル組合部品の挟持溝が対応する支持横杆にそれぞれバックル組立られ
ることにより小載物籠、中載物籠および大載物籠をそれぞれ上下に順次に組立ブラケット
にバックル組立ててカートを組立てる状態と、バックル組合部品の挟持溝が対応する支持
横杆からそれぞれ分解して、小載物籠、中載物籠、大載物籠を上下に順次に下の載物空間
内に積層することにより組立ブラケットを収納する収納組合籠を形成する状態とを切替可
能となるように構成されている。
【０００７】
好ましくは、前記バックル組合部品は固定係合子と弾性係合子を含み、前記固定係合子が
それぞれ小載物籠、中載物籠、大載物籠の底面の左右両側に一体成形され、前記弾性係合
子が固定係合子にバックル組立てられ、前記挟持溝が弾性係合子に設けられている。
【０００８】
好ましくは、前記固定係合子の両側にそれぞれバックル接続穴が開設され、前記弾性係合
子の両側にそれぞれバックル接続穴にバックル取付用のバックル咬子が設置されている。
【０００９】
好ましくは、前記挟持溝は支持横杆を嵌合挟持する円弧挟持部位と該円弧挟持部位へ支持
横杆を挿入させる挟持端口を含み、前記挟持端口が下向きに円弧挟持部位に設けられてい
る。
【００１０】
好ましくは、前記挟持端口の両側にそれぞれ支持横杆を円弧挟持部位内に滑動させる傾斜
案内部が設けられており、前記傾斜案内部の両側にそれぞれ固定係合子の両側部を支持す
る支持接続ブロックが設けられている。
【００１１】
好ましくは、前記組立ブラケットの底端の隅部にそれぞれローラが組立てられ、前記ロー
ラは、組立ブラケットの底端の隅部にバックル嵌合され、及び組立ブラケットから分解し
て小載物籠の載物空間内に収納可能となるように組立入られている。
【００１２】
好ましくは、前記組立ブラケットは上ブラケットと下ブラケットを含み、前記上ブラケッ
トに一つの支持横杆が一体成形され、前記下ブラケットに上下に配列される二つの支持横
杆が一体成形されており、前記上ブラケットが下ブラケットに挿装されてアーチ型の組立
ブラケットを形成している。
【００１３】
好ましくは、前記上ブラケットの下端の隅部にそれぞれ取付穴が設けられ、前記下ブラケ
ットの上端の隅部に取付穴に伸縮可能にバックル取付け用の位置決め弾性ロッドが設けら
れている。
【００１４】
本考案の利点は以下のとおりである。
１）挟持溝を設けるような構成とすれば、バックル組合部品を支持横杆にバックル組立て
ることにより小載物籠、中載物籠および大載物籠をそれぞれ上下に組立ブラケットにバッ
クル組立ててカートを組立てることができるので、フレキシブル的に組立可能で、構成が
安定であり、使用が便利になる。あるいは、バックル組合部品を支持横杆から分解し、分
解した小載物籠、中載物籠、大載物籠を上下に順次に下の載物空間内に積層するとともに
分解した組立ブラケットを小載物籠の載物空間内に収納することができるので、工具を使
用せずに分解でき、占める体積を減少させて、包装、保存また搬送が容易であり、適応性
が強く、使用コストを低くさせる。
２）支持横杆を設けるような構成とすれば、容易に小載物籠、中載物籠、大載物籠を組み
立てることができるとともに、組立ブラケットの構成安定性を強くさせて、カートの使用
効果を確保する。
【図面の簡単な説明】
【００１５】
【図１】本実用新案の好ましい実施例における載物状態の構成模式図。
【図２】本実用新案の好ましい実施例の分解図。
【図３】本実用新案の好ましい実施例における図２中のＡの拡大図。
【図４】本実用新案の好ましい実施例における収納状態の構成模式図。
【図５】本実用新案の好ましい実施例におけるバックル組合部品の取付使用図。
【図６】本実用新案の好ましい実施例におけるバックル組合部品の分解図。
【考案を実施するための形態】
【００１６】
本分野当業者に容易に理解されるために、さらに実施例と図面を参考しながら本実用新
案を以下のように説明する。ただし、実施の形態およびその内容は本実用新案の限定と理
解してはならない。
以下、図面を参考しながら、本実用新案をさらに紹介する。
【００１７】
図１から図６に示すように、本実用新案のバックル式組合カートは、それぞれ載物空間を
備える小載物籠１、中載物籠２及び大載物籠３と、それらの両側に設けられる組立ブラケ
ット４を含むバックル式組合カートであって、前記組立ブラケット４は上下に配列される
複数個の支持横杆５を備えており、前記小載物籠１、中載物籠２および大載物籠３はそれ
ぞれ組立ブラケット４に組立て、及び組立ブラケット４から分解用のバックル組合部品６
を備え、該バックル組合部品６は対応する支持横杆５にバックル組立て、及びそれから分
解用の挟持溝７を備えている。
【００１８】
実用では、前記支持横杆５は上下に組立ブラケット４に一体的に成形されており、前記バ
ックル組合部品６はそれぞれ小載物籠１、中載物籠２および大載物籠３の底面の左右両側
に設けられている。
【００１９】
前記バックル組合部品６の挟持溝７が対応する支持横杆５にそれぞれバックル組立られる
ことにより小載物籠１、中載物籠２および大載物籠３をそれぞれ上下に順次に組立ブラケ
ット４にバックル組立ててカートを組立てられる。これにより、フレキシブル的に組立可
能で、構成が安定であり、使用が便利となる。
【００２０】
バックル組合部品６の挟持溝７が対応する支持横杆５からそれぞれ分解して、小載物籠１
、中載物籠２、大載物籠３を上下に順次に下の載物空間内に積層することにより組立ブラ
ケット４を収納する収納組合籠を形成する。これにより、工具を使用せずに分解でき、占
める体積を減少させて、包装、保存また搬送が容易であり、適応性が強く、使用コストを
低くさせる
【００２１】
図１から図６に示すように、前記バックル組合部品６は固定係合子６１と弾性係合子６２
を含み、前記固定係合子６１がそれぞれ小載物籠１、中載物籠２、大載物籠３の底面の左
右両側に一体成形され、前記弾性係合子６２が固定係合子６１にバックル組立てられ、前
記挟持溝７が弾性係合子６２に設けられている。
【００２２】
好ましい実施例として、前記固定係合子６１の両側にそれぞれバックル接続穴６３が開設
され、前記弾性係合子６２の両側にそれぞれバックル接続穴６３にバックル取付用のバッ
クル咬子６４が設置されている。これにより、容易に組み立てることができるとともに、
組立ブラケットの構成安定性を強くさせる。
【００２３】
また、前記挟持溝７は支持横杆５を嵌合挟持する円弧挟持部位７１と該円弧挟持部位７１
へ支持横杆５を挿入させる挟持端口７２を含み、前記挟持端口７２が下向きに円弧挟持部
位７１に設けられている。
【００２４】
小載物籠１、中載物籠２、大載物籠３に下向きに押力を加えれば、支持横杆５が押力を受
けたまま、弾性係合子６２を変形させることができる。これで、支持横杆５が挟持端口７
２に沿って円弧挟持部位７１へと滑ることができる。さらに、弾性係合子６２と固定係合
子６１の構成により、バックル組合部品６を的確に支持横杆５に挟持させる。
【００２５】
分解際には、同じように小載物籠１、中載物籠２、大載物籠３に上向きに押力を加えれば
、弾性係合子６２を変形させることができる。これで、支持横杆５を円弧挟持部位７１か
ら挟持端口７２を介して滑出させる。バックル組合部品６を支持横杆５から分解させる。
【００２６】
また、前記挟持端口７２の両側にそれぞれ支持横杆５を円弧挟持部位７１内に滑動させる
傾斜案内部６５が設けられており、前記傾斜案内部６５の両側にそれぞれ固定係合子６１
の両側部を支持する支持接続ブロック６６が設けられている。これにより、支持横杆５を
容易に円弧挟持部位７１から出入できるように滑らせる。小載物籠１、中載物籠２、大載
物籠３をフレキシブル的に組立ブラケット４に着脱可能に組立てられる。着脱動作が工具
を要らず、構成が安定になり、操作が便利であるとともに、小載物籠１、中載物籠２、大
載物籠３を着脱操作で損害させないように保護でき、製品としての使用寿命を延長する。
【００２７】
図１から図６に示すように、前記組立ブラケット４は上ブラケット４１と下ブラケット４
２を含み、前記上ブラケット４１に一つの支持横杆５が一体成形され、前記下ブラケット
４２に上下に配列される二つの支持横杆５が一体成形されており、前記上ブラケット４１
が下ブラケット４２に挿装されてアーチ型の組立ブラケット４を形成している。さらに、
前記上ブラケット４１の下端の隅部にそれぞれ取付穴４３が設けられ、前記下ブラケット
４２の上端の隅部に取付穴４３に伸縮可能にバックル取付け用の位置決め弾性ロッド４４
が設けられている。
【００２８】
取付穴４３と位置決め弾性ロッド４４を設けるような構成により、上ブラケット４１と下
ブラケット４２により組立ブラケット４を組み立てて、よって、さらに小載物籠１、中載
物籠２、大載物籠３によりカートを組立てる。あるいは、上ブラケット４１と下ブラケッ
ト４２を分解させることにより、小載物籠１の載物空間内に収納させ、占用体積を減少さ
せ、包装、保存及び搬送が容易となる。
【００２９】
なお、支持横杆５によって、便于装配小載物籠１、中載物籠２、大載物籠３を配置するこ
とが容易になるとともに、組立ブラケット４の構成安定性を強くさせ、カートの使用効果
を確保する。
【００３０】
上記の具体的な実施例は、単に本実用新案の効果を実現する好ましい形態であり、本実用
新案のバックル式組合カートと同一又は均等の構成であるならば、本実用新案の保護範囲
内に含まれる。
【図１】
0003224918.tif 000003
【図２】
0003224918.tif 000004
【図３】
0003224918.tif 000005
【図４】
0003224918.tif 000006
【図５】
0003224918.tif 000007
【図６】
0003224918.tif 000008